(57)【要約】【課題】  無線ネットワーク接続の設定を簡便にし、かつセキュリティを確保できる画像表示装置を提供する。【解決手段】  ユーザは、画像表示装置１と情報端末装置２とを無線ネットワークに接続するときには、ＵＳＢメモリ４５を情報端末装置２のＵＳＢジャックに差し込んでから、セットアップファイルをマウスによりクリックする。すると、情報端末装置２では、自動的にインストーラが起動し、接続アプリケーション４６、ドライバ４７及び設定情報４８がＨＤＤ内に自動的に収納される。その後、ユーザがワイヤレス接続用モジュール４４を情報端末装置２の所定のスロットに差し込むと、無線ネットワークへの接続設定が終了し、既に起動されている画像表示装置１との間でデータの送受信が無線ネットワークを介して行われることになる。【選択図】  図４
2005285091.tif 000002
【特許請求の範囲】
【請求項１】
ネットワーク接続を行うための設定情報を格納している第１の記憶手段及び表示部を有する画像表示装置であって、
ネットワークを介して通信を行うための通信手段と、
上記通信手段を介してネットワーク接続される情報端末装置に装着可能であって、上記第１の記憶手段に記憶されている設定情報と対応する設定情報を格納している不揮発性記憶媒体からなる第２の記憶手段と、
上記第１の記憶手段からの設定情報を読み出してネットワークを介した通信を可能とするよう設定を行う制御手段と
を備え、
上記制御手段は、上記情報端末装置から送信され上記通信手段を介して受信された画像データを上記表示部に出力するよう制御し、
上記表示部は、上記制御手段からの画像情報に基づく画像を表示することを特徴とする画像表示装置。
【請求項２】
上記第２の記憶手段に記憶される設定情報は上記画像表示装置に固有の情報から予め生成された情報であり、上記情報端末装置及び上記画像表示装置にて表示されないものであることを特徴とする請求項１記載の画像表示装置。
【請求項３】
上記通信手段は着脱可能な無線接続モジュールであって、上記情報端末装置との間のネットワーク接続は無線にて行われることを特徴とする請求項１記載の画像表示装置。
【請求項４】
上記無線接続のための設定情報としてネットワークモード、ネットワーク名、ネットワークチャンネル、データの暗号化鍵を、第１の記憶手段及び第２の記憶手段で共通に有していることを特徴とする請求項３記載の画像表示装置。
【請求項５】
表示部と通信手段とを有し、上記表示部に表示された画像に対応する画像情報をネットワーク接続された画像表示装置に上記通信手段を介して送信する情報端末装置であって、
上記画像表示装置に固有の情報から予め生成される設定情報を格納している不揮発性記憶媒体を装着する装着手段と、
操作に応じて上記装着手段に装着された上記不揮発性記憶媒体から上記設定情報を読み出し、ネットワークへの接続設定を行うとともに、上記画像情報を上記通信手段に出力するよう制御する制御手段と
を備えることを特徴とする情報端末装置。
【請求項６】
上記通信手段は着脱可能な無線接続モジュールであって、上記画像表示装置との間のネットワーク接続は無線にて行われることを特徴とする請求項５記載の情報端末装置。
【請求項７】
上記不揮発性記憶媒体は、さらにネットワーク接続を行うためのアプリケーション及びドライバーを格納し、
上記制御手段は、操作に応じて上記アプリケーション、ドライバー及び上記設定情報を取り込むとともに、上記ネットワークへの接続設定を行うことを特徴とする請求項５記載の情報端末装置。
【請求項８】
ホスト側に情報処理装置を備えてなり、情報端末装置との間でネットワークを構築するネットワークシステムにおいて、
上記情報処理装置は、
上記情報端末装置との間でネットワーク接続を行うための第１の通信手段と、
上記ネットワークの接続を行うための設定情報を格納している第１の記憶手段と、
表示部と、
上記第１の記憶手段からの設定情報を読み出してネットワークを介した通信を可能とするよう設定を行うとともに、上記第１の通信手段を介して上記情報端末装置から送信された画像データを処理して表示部に送出する制御手段と、
上記情報端末装置に装着可能であって、上記情報処理装置に固有の情報から予め生成される設定情報を格納している不揮発性記憶媒体からなる第２の記憶手段とを備え、
上記情報端末装置は、
画像が表示をされる表示部と、
上記表示部に表示された画像に対応する画像情報をネットワーク接続された画像表示装置に送信を行う第２の通信手段と、
上記第２の記憶手段を装着する装着手段と、
上記装着手段に上記第２の記憶手段が装着されたことを検知し、該上記第２の記憶手段から上記設定情報を読み出し、ネットワークを介した通信を可能とするよう設定を行うとともに、上記画像情報を上記第２の通信手段に出力するよう制御する制御手段と
を備えることを特徴とするネットワークシステム。
【請求項９】
上記第１及び第２の通信手段は、着脱可能な無線接続モジュールであって、それぞれ上記情報処理装置及び上記情報端末装置に装着され、
上記情報処理装置と上記情報端末装置の間のネットワーク接続は無線にて行われることを特徴とする請求項８記載のネットワークシステム。
【請求項１０】
上記無線接続のための設定情報としてネットワークモード、ネットワーク名、ネットワークチャンネル、データの暗号化鍵を、第１の記憶手段及び第２の記憶手段で共通に有していることを特徴とする請求項９記載のネットワークシステム。
【請求項１１】
上記データの暗号化鍵は、上記情報処理装置の固有情報から予め生成されたものであり、上記情報端末装置及び上記情報処理装置にて表示されないものであることを特徴とする請求項１０記載のネットワークシステム。
【請求項１２】
画像表示装置に対して情報端末装置をネットワーク接続するためのネットワーク設定方法において、
上記画像表示装置の固有情報から予め生成された設定情報を格納している不揮発性記憶媒体から操作に応じて上記設定情報を読み出す工程と、
上記設定情報に基づきネットワークへの接続設定を行う工程と
を備えることを特徴とするネットワーク設定方法。
【発明の詳細な説明】
【技術分野】
【０００１】
本発明は、画像を表示する画像表示装置、情報端末装置、ネットワークシステム及びネットワーク設定方法に関し、より詳細には、パーソナルコンピュータなどの情報端末装置と、情報端末装置から送信された画像情報をネットワークを介して受信し、その画像情報に応じた画像を表示する画像表示装置、ホスト側に情報処理装置を備えてなり、情報端末装置との間でネットワークを構築するネットワークシステムに関する。さらに、本発明は、ホスト側と情報端末装置との間でネットワークを構築するときのネットワークの設定方法に関する。
【背景技術】
【０００２】
一般に、画像を表示する装置（以下、画像表示装置という）としては、所定の投影面（スクリーン）と、当該スクリーンに画像を投影表示する画像投影装置（プロジェクタ：Projector：PJ)からなるプロジェクションディスプレイシステムのような画像表示装置や、陰極線を利用して画像を表示する陰極線管（Cathode Ray Tube：CRT）表示装置、或いは液晶表示部（Liquid Crystal Display：LCD）に画像を表示する画像表示装置等が知られている。このような画像表示装置は、一般に、パーソナルコンピュータなどの情報端末装置から有線通信又は無線通信によって送信された画像情報を受信し、受信した画像情報に応じた画像を表示できるように構成されている。
【０００３】
画像表示装置と、情報端末装置と、有線通信又は無線通信によって成るネットワークから形成される画像表示システムにあっては、画像表示装置と、情報端末装置をネットワーク接続する際に、ネットワーク接続のための設定が必要になる。このネットワーク接続のためのいくつかの設定の方法に関しては、下記特許文献１、下記特許文献２に開示されている。
【０００４】
下記特許文献１に記載されている設定の方法は以下のとおりである。画像表示装置は、識別記号発生部を備え、発生した識別記号、例えばＩＰアドレスをスクリーンに投影表示する。情報端末装置の使用者は、スクリーンに表示された識別記号を見ることにより、スクリーンに画像を投影している画像表示装置の識別番号を知ることができる。このため、その画像表示装置に対してネットワーク経由で伝送情報を送信することができる。
【０００５】
下記特許文献２に記載されている設定の方法は以下のとおりである。画像表示装置はパスワード生成部を備え、生成したパスワードをスクリーンに投写する。パーソナルコンピュータ側では、ユーザがスクリーン上に投写されたパスワードをキーボードの操作によって入力し、通信を確立するための認証要求を行う。プロジェクタは、パーソナルコンピュータ側からの認証要求に応じてパスワードを確認し、パーソナルコンピュータとの接続が確立すると、スクリーンへのパスワードの投写表示を停止する。また、プロジェクタは、ネットワークの接続のための設定情報もスクリーンに投写表示する。設定情報の中には、暗号通信のためのＷＥＰ（Wired Equivalent Privacy）と呼ばれる方式に応じた暗号化鍵（ＷＥＰキー）も含まれてしまう。
【０００６】
【特許文献１】特開２００２−１２３２３８号公報
【特許文献２】特開２００３−６９９２３号公報
【発明の開示】
【発明が解決しようとする課題】
【０００７】
ところで、上記特許文献１、特許文献２に記載されているようなネットワーク接続のための設定方法によれば、ネットワーク接続を実現するためには、ユーザが接続の度に、画像表示装置、情報端末装置それぞれの設定を行わなくてはならず、ある程度の知識と時間が必要であったため、製品として商品化しても実際に使用してもらうケースを逸していた。
【０００８】
また、実際に使用している場合であっても、画像表示装置（プロジェクタ）の識別番号（パスワード）をユーザ以外の人が知ることができる。例え、プロジェクタが会議室などの限られた空間で利用されるものであり、外部の不特定多数の人が見ることはないとはいえ、ユーザ以外の人に識別番号（パスワード）が知られてしまうのはセキュリティ上問題である。ましてや、商品展示会や不特定多数の人が自由に出入りできるような場で、スクリーンに識別番号を表示するのは、外部からの悪意のある不正な接続を可能とし、通信データの秘匿性を確保するのを困難としてしまう。
【０００９】
特に、特許文献２では、ＷＥＰキーもスクリーン上に投写表示することになるので、悪意のある第３者によってＷＥＰキーを用いての暗号データの不正な復号を許すことにもつながり、セキュリティ上著しい問題となる。
【００１０】
本発明は、上記実情に鑑みてなされたものであり、ネットワーク接続の設定を簡便にし、かつセキュリティを確保できる画像表示装置の提供を目的とする。また、ホスト側の情報処理装置と情報端末装置のネットワーク接続の設定を簡便にし、かつセキュリティを確保できるネットワークシステムの提供を目的とする。さらに、ホスト側と情報端末装置のネットワーク接続の設定を簡便にし、かつセキュリティを確保できるようにするネットワークの設定方法の提供を目的とする。
【課題を解決するための手段】
【００１１】
本発明に係る画像表示装置は、上記課題を解決するために、ネットワーク接続を行うための設定情報を格納している第１の記憶手段及び表示部を有する画像表示装置であって、ネットワークを介して通信を行うための通信手段と、上記通信手段を介してネットワーク接続される情報端末装置に装着可能であって、上記第１の記憶手段に記憶されている設定情報と対応する設定情報を格納している不揮発性記憶媒体からなる第２の記憶手段と、上記第１の記憶手段からの設定情報を読み出してネットワークを介した通信を可能とするよう設定を行う制御手段とを備え、上記制御手段は、上記情報端末装置から送信され上記通信手段を介して受信された画像データを上記表示部に出力するよう制御し、上記表示部は、上記制御手段からの画像情報に基づく画像を表示する。
【００１２】
この画像表示装置によれば、第１の記憶手段に記憶されているネットワーク接続を行うための設定情報に対応する設定情報を不揮発性記憶媒体からなる第２の記憶手段に格納し、この第２の記憶手段を情報端末装置に装着させることで、情報端末装置から送信され通信手段を介して受信された画像データを制御部の制御に基づいて表示部に出力する。
【００１３】
本発明に係る情報端末装置は、上記課題を解決するために、表示部と通信手段とを有し、上記表示部に表示された画像に対応する画像情報をネットワーク接続された画像表示装置に上記通信手段を介して送信する情報端末装置であって、上記画像表示装置に固有の情報から予め生成される設定情報を格納している不揮発性記憶媒体を装着する装着手段と、操作に応じて上記装着手段に装着された上記不揮発性記憶媒体から上記設定情報を読み出し、ネットワークへの接続設定を行うとともに、上記画像情報を上記通信手段に出力するよう制御する制御手段とを備える。
【００１４】
この情報端末装置によれば、画像表示装置に固有の情報から予め生成される設定情報を格納している不揮発性記憶媒体を装着手段に装着し、操作に応じた制御手段の制御により不揮発性記憶媒体から設定情報を読み出し、ネットワークへの接続設定を行うとともに、画像情報を通信手段に出力する。
【００１５】
本発明に係るネットワークシステムは、上記課題を解決するために、ホスト側に情報処理装置を備えてなり、情報端末装置との間でネットワークを構築するネットワークシステムにおいて、上記情報処理装置は、上記情報端末装置との間でネットワーク接続を行うための第１の通信手段と、上記ネットワークの接続を行うための設定情報を格納している第１の記憶手段と、表示部と、上記第１の記憶手段からの設定情報を読み出してネットワークを介した通信を可能とするよう設定を行うとともに、上記第１の通信手段を介して上記情報端末装置から送信された画像データを処理して表示部に送出する制御手段と、上記情報端末装置に装着可能であって、上記情報処理装置に固有の情報から予め生成される設定情報を格納している不揮発性記憶媒体からなる第２の記憶手段とを備え、上記情報端末装置は、画像が表示をされる表示部と、上記表示部に表示された画像に対応する画像情報をネットワーク接続された画像表示装置に送信を行う第２の通信手段と、上記第２の記憶手段を装着する装着手段と、上記装着手段に上記第２の記憶手段が装着されたことを検知し、該上記第２の記憶手段から上記設定情報を読み出し、ネットワークを介した通信を可能とするよう設定を行うとともに、上記画像情報を上記第２の通信手段に出力するよう制御する制御手段とを備える。
【００１６】
情報処理装置は、第１の記憶手段に記憶されているネットワーク接続を行うための設定情報に対応する設定情報を不揮発性記憶媒体からなる第２の記憶手段に格納し、この第２の記憶手段を情報端末装置に装着させることで、情報端末装置から送信され通信手段を介して受信された画像データを制御部の制御に基づいて表示部に出力する。また、情報端末装置は、装着手段に上記第２の記憶手段が装着されたことを制御手段が検知すると、当該制御手段により第２の記憶手段から設定情報を読み出し、ネットワークを介した通信を可能とするよう設定を行うとともに、画像情報を第２の通信手段を介して、情報処理装置に送信する。
【００１７】
本発明に係るネットワーク設定方法は、上記課題を解決するために、画像表示装置に対して情報端末装置をネットワーク接続するためのネットワーク設定方法において、上記画像表示装置の固有情報から予め生成された設定情報を格納している不揮発性記憶媒体から操作に応じて上記設定情報を読み出す工程と、上記設定情報に基づきネットワークへの接続設定を行う工程とを備える。
【００１８】
このネットワーク設定方法によれば、画像表示装置の固有情報から予め生成された設定情報を格納している不揮発性記憶媒体から操作に応じて設定情報を読み出し、読み出した設定情報に基づきネットワークへの接続設定を行う。
【発明の効果】
【００１９】
本発明の画像表示装置によれば、第１の記憶手段に記憶されているネットワーク接続を行うための設定情報に対応する設定情報を不揮発性記憶媒体からなる第２の記憶手段に格納し、この第２の記憶手段を情報端末装置に装着させることで、情報端末装置から送信され通信手段を介して受信された画像データを制御部の制御に基づいて表示部に出力するので、ネットワーク接続の設定を簡便にし、かつセキュリティを確保しながらも、情報端末装置から送信された画像データに基づく画像を表示部に表示することができる。
【００２０】
本発明の情報端末装置によれば、画像表示装置に固有の情報から予め生成される設定情報を格納している不揮発性記憶媒体を装着手段に装着し、操作に応じた制御手段の制御により不揮発性記憶媒体から設定情報を読み出し、ネットワークへの接続設定を行うとともに、画像情報を通信手段に出力するので、ネットワーク接続の設定を簡便にし、かつセキュリティを確保しながらも、画像データを画像表示装置に送信することができる。
【００２１】
本発明のネットワークシステムによれば、第１の記憶手段に記憶されているネットワーク接続を行うための設定情報に対応する設定情報を不揮発性記憶媒体からなる第２の記憶手段に格納しており、この第２の記憶手段を情報端末装置に装着させることで、情報処理装置は情報端末装置から送信され通信手段を介して受信された画像データを制御部の制御に基づいて表示部に出力することができる。また、情報端末装置は、装着手段に上記第２の記憶手段が装着されたことを制御手段が検知すると、当該制御手段により第２の記憶手段から設定情報を読み出し、ネットワークを介した通信を可能とするよう設定を行うとともに、画像情報を第２の通信手段を介して、情報処理装置に送信することができる。したがって、システムとして、ネットワーク接続の設定を簡便にし、かつセキュリティを確保しながらも、情報端末装置から画像データを情報処理装置に伝送し、画像データに基づく画像を表示部に表示することができる。
【００２２】
本発明のネットワーク設定方法によれば、画像表示装置の固有情報から予め生成された設定情報を格納している不揮発性記憶媒体から操作に応じて設定情報を読み出し、読み出した設定情報に基づきネットワークへの接続設定を行うので、ホスト側と情報端末装置のネットワーク接続の設定を簡便にし、かつセキュリティを確保できるようにする。
【発明を実施するための最良の形態】
【００２３】
以下、本発明の実施の形態について図面を参照しながら説明する。この実施の形態は、本発明の画像表示装置、情報端末装置の具体例を含む、ネットワークシステムの具体例となる画像表示システムである。
【００２４】
図１は画像表示システム１０の基本構成を示す図である。画像表示システム１０は、画像表示装置１と、情報端末装置２とを、無線通信路に接続し無線ネットワークを構成したシステムである。なお、画像表示システム１０は、あくまでも一例であり、この一例によって本発明の構成が限定されるものではない。情報端末装置は１台でも、或いはさらに複数でもよい。情報端末装置を複数とする構成については後述する。
【００２５】
無線通信路は、電利用したものである。例えば、ダイレクト・シーケンス・スペクトル拡散(Direc波や赤外線など、有線ケーブル以外の伝送路をt Sequence Spread Spectrum：ＤＳＳＳ)無線通信向けのもの等のIEEE8O2.11規格に準拠する無線ＬＡＮ(ＷＬＡＮ)通信に採用されるのと同じ２．４ＧＨｚのＩＳＭ(Industrial,Scientificand Medical)帯域を使用する無線通信がある。ブルートゥース(Bluetooth)と称されている。また、赤外線データ通信の規格であるIrDA（Infrared Date Association）によるものがある。
【００２６】
画像表示装置１は、表示部の具体例であるスクリーン５と、このスクリーン５の表示画面５０上に画像５５を投影する画像投影装置（プロジェクタ：Projector)６０からなる。プロジェクタ６０のスロット６０ａには、例えばワイヤレス接続用モジュールのような通信モジュール４０が差し込まれている。この通信モジュール４０は、情報端末装置２との通信を行うものであり、通信接続や通信切断のための要求信号、応答信号、及び拒否信号等の送受信に使用される。また、情報端末装置２から無線ネットワーク経由で送られてくる画像情報の受信に使用される。
【００２７】
情報端末装置２は、例えばパーソナルコンピュータ（ＰＣ）である。情報端末装置２も、装置の本体にスロットを介してワイヤレス接続用モジュールのような通信モジュール４４が取り付けられる。この通信モジュール４４も、プロジェクタ６０の通信モジュール４０との間で通信接続、通信切断のための要求信号、応答信号、拒否信号等の送受信に使用される。また、プロジェクタ６０に画像情報を送信するのにも使用される。もちろん、情報端末装置は、上記通信モジュール４４のような通信手段の装着が可能であり、画像を送信する機能を備えた装置であればＰＣに限定されるものではない。例えば、携帯情報端末（ＰＤＡ）や、携帯電話、デジタルカメラ等でもよい。
【００２８】
また、送信される対象としてここでは画像情報としているが、画像情報に限らずデータ情報や文書ファイルであってもよい。
【００２９】
そして、情報端末装置２は、例えば表示部２１に表示した画像３５に対応する画像情報を暗号化し、通信モジュール４４により、画像表示装置１のプロジェクタ６０に送信する。プロジェクタ６０は、情報端末装置２から上記無線通信路を介して無線伝送された上記暗号化画像情報を通信モジュール４０により受信し、復号画像情報にしてからスクリーン５上の表示画面５０に拡大した画像５５として投射表示する。
【００３０】
図２は、画像表示装置１の構成を概略的に示すブロック図である。画像表示装置１は、スクリーン５とプロジェクタ６０から構成されている。プロジェクタ６０は、ネットワーク接続を行うための設定情報を格納している第１の記憶部６３と、ネットワークを介して通信を行うための通信モジュール４０と、第１の記憶部６３からの設定情報を読み出してネットワークを介した通信を可能とするよう設定を行う制御部６１と、選択部６９と、映像信号出力部６５とを備える。また、画像表示装置１は、通信モジュール４０を介してネットワーク接続される情報端末装置２に装着可能であって、第１の記憶部６３に記憶されている設定情報と対応する設定情報を格納している不揮発性記憶媒体からなる第２の記憶部４５をネットワーク接続の対象となる情報端末装置２用に用意している。
【００３１】
制御部６１は、ネットワーク接続された情報端末装置２から送信され、通信モジュール４０を介して受信された画像データをスクリーン５に出力するよう制御し、映像信号出力部６５に渡す。映像信号出力部６５は、制御部６１によって制御され、上記画像データに基づいて映像信号を生成し、スクリーン５に渡す。スクリーン５は、映像信号出力部６５が、制御部６１の制御に基づいて生成した映像信号よりなる画像を表示する。
【００３２】
選択部６９は、スクリーン５に表示された画像上の要点や、選択点などをユーザの操作に応じて選択する。
【００３３】
図３は、情報端末装置２の構成を概略的に示すブロック図である。情報端末装置２は、表示部２１と通信モジュール４４とを有し、表示部２１に表示された画像に対応する画像情報を無線ネットワーク接続された画像表示装置１のプロジェクタ６０に通信モジュール４４を介して送信する。
【００３４】
このため、情報端末装置２は、画像表示装置１に固有の情報から予め生成される設定情報を格納している不揮発性記憶媒体である第２の記憶部４５を装着する装着部２６と、ユーザの操作に応じて装着部２６に装着された第２の記憶部４５から上記設定情報を読み出し、無線ネットワークへの接続設定を行うとともに、上記画像情報を通信モジュール４４に出力するよう制御する制御部２０とを備える。
【００３５】
具体的に、制御部２０は、装着部２６に第２の記憶部４５が装着されたことを検知し、第２の記憶部４５から設定情報を読み出し、無線ネットワークを介した通信を可能とするよう設定を行うとともに、入力操作部２２により選択されて表示部２１に表示している画像情報を通信モジュール４４に出力する。
【００３６】
通信モジュール４４は、制御部２０の制御に基づいて画像表示装置１との間で無線ネットワークを介した通信が可能となると、上述したように、表示部２１に表示していた画像情報と同じ画像情報を画像表示装置１の通信モジュール４０に送信する。
【００３７】
上記図２に概略的に構成を示した画像表示装置１と、上記図３に概略的に構成を示した情報端末装置２は、後述するように、ＣＰＵ（中央演算装置）を中心としたハードウェア構成を採っている。図４には、画像表示装置１及び情報端末装置２のハードウェア構成で必要とされるソフトウェアのシステム構成を示す。無線ネットワークへの接続設定を行う際、あるいは無線ネットワークを介して画像情報やその他の制御信号などを送受信する際に用いられる。
【００３８】
画像表示装置１は、後述するＲＯＭ６３内に予め出荷時にネットワーク接続のための接続アプリケーション４１と、ワイヤレス接続用モジュールを動かすためのドライバ４２とネットワーク接続のための設定情報４３とを書き込んでいる。また、画像表示装置１は、ワイヤレス接続用モジュール４０も付属品として備えている。
【００３９】
このワイヤレス接続用モジュール４０は、アンテナと送受信用チップを供えたＣＦカードタイプとされており、画像表示部１のプロジェクタ６０に設けられた専用のスロット６０ａに挿入されて使用される。さらに詳しくは、送信用データが後述するＣＰＵから通信コントロール部あるいはＩ／Ｆ部を経由してベースバンド処理部に送られ、ベースバンド処理部で信号処理され、ＲＦ処理部で伝送波にのせられ、無線通信アンテナから周辺のデバイスに無線送信される。また、逆に、周辺のデバイスから無線送信されてきた電波は、ローカル無線通信アンテナで受信され、ＲＦ部で信号抽出され、ベースバンド信号処理部で信号処理されてから、通信コントロール部あるいはＩ／Ｆ部経由で後述するＣＰＵに伝えられる。
【００４０】
接続アプリケーション４１は、後述するＣＰＵによって実行され、ドライバ４２、設定情報４３を用いて、無線ネットワークへの接続を行ったり、画像転送を行う。
【００４１】
画像表示装置１は、ワイヤレス接続用モジュール４０と同様の機能のＵＳＢタイプのワイヤレス接続用モジュール４４をネットワーク接続される情報端末装置２用に同梱している。また、画像表示装置１は、上記接続アプリケーション４１、ドライバ４２及び設定情報４３と同様の接続アプリケーション４６、ドライバ４７及び設定情報４８を格納しているＵＳＢメモリ４５も同梱している。
【００４２】
ユーザは、画像表示装置１のプロジェクタ６０と情報端末装置２とを無線ネットワークに接続するときには、ＵＳＢメモリ４５を情報端末装置２のＵＳＢジャックに差し込んでから、セットアップファイルをマウスによりクリックする。すると、情報端末装置２では、自動的にインストーラが起動し、接続アプリケーション４６、ドライバ４７及び設定情報４８がＨＤＤ内に自動的に収納される。その後、ユーザがワイヤレス接続用モジュール４４を情報端末装置２のＵＳＢジャック（スロット）に差し込むと、無線ネットワークへの接続設定が終了し、既に起動されている画像表示装置１のプロジェクタ６０との間でデータの送受信が無線ネットワークを介して行われることになる。
【００４３】
設定情報４３及び４８は、ワイヤレスネットワーク接続を行うための設定情報である。図５は設定情報４３及び４８の具体例を示す図である。設定情報項目７と各設定情報内容８を示している。設定情報項目７のネットワークモードは、アクセスポイントに接続するモード（アクセスポイント接続モード）なのか、或いはある機器に対して１対１で接続するモード（アドホックモード）なのかを区別する設定情報である。図１に示すような接続では、アドホックモードとされている。ネットワーク名（ＳＳＩＤ）は、ネットワークの名前であり、画像表示装置１のプロジェクタ６０固有の名前となる。ここでは、ＰＪ−００５とされている。「００５」はシリアル番号である。ネットワークチャンネルは、使用する周波数帯域を示す。例えば「１」から「１１」までのチャンネルとされている。データの暗号化（ＷＥＰ）は、本システムが無線ネットワークを構成しているので、データ傍受の危険性からデータを守るための暗号化の方法を指定する情報である。以上のネットワークモード、ネットワーク名、ネットワークチャンネル、データの暗号化方法は、ワイヤレス接続用モジュール４０及び４４の設定に関する情報である。
【００４４】
また、設定情報項目７のＩＰアドレス（Internet Protocol Address）は、本来であればインターネットに接続されたコンピュータの住所に当たる数列を意味する。ここでは、画像表示装置１のプロジェクタ６０及び情報端末装置２のネットワーク上でのアドレスを示すものである。例えば、情報端末装置２側の設定情報４８では、オートＩＰとされる（Auto IP(DHCP)）。画像表示装置１は、無線ネットワークにおけるDHCPサーバではないが、元々オートＩＰという設定項目自体がないので、DHCPに設定しておくことで、DHCPサーバを探させ、無いことが判明すればオートＩＰが働くという流れになっている。サブネットマスク（Subnet Mask）は、ＩＰネットワークにおいて、サブネットの分割を行うためのビット列である。ＩＰアドレスとサブネットマスクの論理積によりネットワークアドレスが得られる。
【００４５】
画像表示装置１のプロジェクタ６０にあって、設定情報４３はプロジェクタ６０の購入時に既にＲＯＭ６３内に接続アプリケーション４１、ドライバ４２と共に格納されている。情報端末装置２にあって、設定情報４８は上述したように接続アプリケーション４６、ドライバ４７と共にＵＳＢメモリ４５からＨＤＤ等にインストールされる。
【００４６】
これら設定情報４３及び設定情報４８のうちワイヤレスネットワーク接続に必要な情報、つまり、ワイヤレス接続用モジュール４０及び４４の設定に関する情報は、画像表示装置１のプロジェクタ６０固有の情報、例えばシリアル番号などから作成されている。例えば、上記図５に示したネットワーク名である「ＰＪ−００５」は、画像表示装置１のプロジェクタ６０固有のシリアル番号「００００５」から作成されたものである。また、データの暗号化方法（ＷＥＰ）である「３８２６５４・・・」も上記固有のシリアル番号から生成された１２８ビットの暗号化鍵である。
【００４７】
以上をまとめると、設定情報４３及び４８のネットワーク名とデータの暗号化キーは、画像表示装置１のプロジェクタ６０固有の情報から決定され、これらの情報は他の設定情報と共に、工場出荷時に、画像表示装置１のプロジェクタ６０内のＲＯＭ６３及びＵＳＢメモリ４５に書き込まれているということになる。
【００４８】
この画像表示システム１０にあって特徴的なのは、情報端末装置２用のＵＳＢメモリ４５と、ワイヤレス接続用モジュール４４は、画像表示装置１のプロジェクタ６０購入時に同梱されていることである。もちろん、後日、ユーザがＵＳＢモジュールと、ワイヤレス接続用モジュールを購入するようにしてもよい。ＵＳＢメモリ４５に予め格納されている設定情報４８のうち、図５に示したワイヤレス接続用モジュール４４の設定に関する情報は、画像表示装置１のプロジェクタ６０固有の情報から生成されている。
【００４９】
このように、画像表示装置１のプロジェクタ６０のユーザは、購入時に同梱されているＵＳＢメモリ４５を情報端末装置２の装着部２６に挿入し、所定のインストール操作を行い、かつワイヤレス接続用モジュール４４を所定のスロットに挿入するだけで、画像表示装置１と情報端末装置２とを無線ネットワーク接続することができる。
【００５０】
また、図５に示した設定情報の内の、特に、ワイヤレスネットワーク接続に必要な情報のネットワーク名や、ＷＥＰキーは画像表示装置１のプロジェクタ６０固有のシリアル番号から予め生成されている。そして、上記設定方法を用いると自動的に情報端末装置に設定されるので、従来のようにスクリーン５に表示する必要はない。このため、設定情報が第三者の目に触れないので、ネットワークへの第三者による不正な侵入、攻撃を防ぐことができ、もちろん暗号データの不正な復号も防ぐことができるので、セキュリティを確保できる。
【００５１】
図６は画像表示装置１のハードウェア構成を示す図である。ＣＰＵ６１にはバス６２を介してリードオンリーメモリ（ＲＯＭ）６３、ランダムアクセスメモリ（ＲＡＭ）６４が接続している。また、ＣＰＵ６１にはバス６２を介してスクリーン５に映像信号を投射する映像信号出力部６５、ワイヤレス接続用モジュール４０をインターフェースするＰＣＭＣＩＡ（Personal Computer Memory Card International Association）などのＩ／Ｆ６６、さらにはリモートコントロール用受光部６８も接続している。リモートコントロール用受光部６８は、リモートコントローラ６９からのリモートコントロール信号を受信する。
【００５２】
スクリーン５は、図２に示したスクリーン５と同様のものである。ワイヤレス接続用モジュール４０は、同じく図２に示した通信モジュール４０の具体例である。ＲＯＭ６３又はＲＡＭ６４は、図２に示した第１の記憶部６３の具体例であり、既に出荷時に接続アプリケーション４１、ドライバ４２及び設定情報４３が格納されている。ＣＰＵ６１は、同じく制御部６１の具体例であり、第１の記憶部であるＲＯＭ６３から上記設定情報を読み出してネットワークを介した通信を可能とする設定を行う。また、ＣＰＵ６１は、ネットワーク接続された情報端末装置２から送信され、ワイヤレス接続用モジュール４０を介して受信された画像データをスクリーン５に出力するよう制御し、映像信号出力部６５に渡す。映像信号出力部６５は、ＣＰＵ６１によって制御され、上記画像データに基づいて映像信号を生成し、スクリーン５に渡す。スクリーン５は、映像信号出力部６５が、ＣＰＵ６１の制御に基づいて生成した映像信号よりなる画像を表示する。なお、ＲＡＭ６４には、ＣＰＵ６１で処理される種々のデータが一時保存されている。
【００５３】
リモートコントローラ６９は、図２に示した選択部６９の具体例であり、スクリーン５に表示されたスクリーン５に表示された画像上の要点や、選択点などをユーザの操作に応じて選択する。また、リモートコントローラ６９を用いて、無線ネットワークへの接続設定、複数の情報端末装置への接続、切断の切り換え等の操作が行われる。
【００５４】
画像表示装置１には、上述したようにリモートコントロール用受光部６８が備えられているので、リモートコントローラ６９からの赤外線リモートコントロール信号を受信することができる。
【００５５】
ＣＰＵ６１は、リモートコントロール用受光部６８が受信したリモートコントロール信号に対応して、例えばＲＯＭ６３又はＲＡＭ６４に格納されているリモートコントロール信号の解読用データテーブルを参照し、コマンドを解読する。
【００５６】
例えば、ユーザがリモートコントローラ６９を用いて、所望の情報端末装置を選択し、接続を要求すると、ＣＰＵ６１は、選択された情報端末装置に対して接続要求信号を生成し、Ｉ／Ｆ６６を介してワイヤレス接続用モジュール４０から該当する情報端末装置のワイヤレス接続用モジュール４４に送る。このため、無線ネットワーク接続の設定が可能になる。
【００５７】
また、ＣＰＵ６１は、リモートコントローラ６９を用いてユーザにより情報端末装置の切り換え、切断操作が行われると、そのコマンドを解読し、コマンドに応じた各送信信号を生成し、Ｉ／Ｆ６６を介してワイヤレス接続用モジュール４０から該当する情報端末装置のワイヤレス接続用モジュール４４に送る。このため、情報端末装置の切り換え、切断が画像表示装置１側の操作により可能になる。
【００５８】
また、リモートコントローラ６９は、画像表示装置１を通して、選択され接続されている情報端末装置２の表示部に表示している画像の送り／戻しを、遠隔操作により制御することもできる。この場合も、画像表示装置１のプロジェクタ６０は、リモートコントローラ６９からの赤外線リモートコントロール信号をリモートコントロール用受光部６８にて受信すると、ＣＰＵ６１が例えばＲＯＭ６３又はＲＡＭ６４に格納されているリモートコントロール信号の解読用テーブルを参照してコマンドを解読し、ＣＰＵ６１がコマンドに応じて各送信用コントロールデータを生成し、各送信用コントロールデータをＩ／Ｆ６６を介してワイヤレス接続用モジュール４０から情報端末装置２のワイヤレス接続用モジュール４４に送る。情報端末装置２は、ワイヤレス接続用モジュール４４によって受信した画面の送り／戻しのためのコントロールデータを解読し、自身の表示部に表示している画像情報を送り／戻しする。これに連動して、画像表示装置１のスクリーン５に投影されている画像も送り／戻しされる。
【００５９】
リモートコントローラ６９では、さらに、画像表示装置１のスクリーン５を黒くするといった制御も可能である。また、リモートコントローラ６９には、レーザポインタ機能を併用させてもよい。
【００６０】
また、リモートコントローラ６９から情報端末装置２上の画面の送り／戻し処理、スクリーン５を黒くする制御を行う機能、またレーザポインタ機能を独立させ、専用のプレゼンテーションツールを設けてもよい。
【００６１】
図７は情報端末装置２のハードウェア構成を示す図である。ＣＰＵ２０にはバス２３を介してハードディスクドライブ（ＨＤＤ）２４、ランダムアクセスメモリ（ＲＡＭ）２５が接続している。また、ＣＰＵ２０にはバス２３を介してＵＳＢメモリ４５をインターフェースするＵＳＢＩ／Ｆ２６、ワイヤレス接続用モジュール４４をインターフェースするＩ／Ｆ２８が接続している。さらに、ＣＰＵ２０にはバス２３を介して上記自身の表示部である液晶表示装置ＬＣＤ２１をコントロールするＬＣＤコントローラ３０、キーボードやマウスなどの入力操作部２２をインターフェースするＩ／Ｆ３１も接続されている。
【００６２】
画像表示装置１側から接続要求信号や、切断のための送信信号が送られてくると、情報端末装置２にあっては、ワイヤレス接続用モジュール４４にて受信した各送信信号がＩ／Ｆ２８を介してＣＰＵ２０に渡され、ＣＰＵ２０にて処理される。同様にして、情報端末装置２から画像表示装置１への送信信号の処理も行われる。
【００６３】
以下には、図６に示したハードウェア構成の画像表示装置１と、図７に示したハードウェア構成の情報端末装置２からなる画像表示システム１０における、無線ネットワークへの接続のための設定から、画像表示装置１がスクリーン５上に情報端末装置２からの画像を表示するまでの動作を説明する。ユーザが画像表示装置１を購入後、既に所有している情報端末装置２との間で無線ネットワークを構築し、画像転送を可能とするまでの動作である。
【００６４】
先ず、ユーザは、画像表示装置１に同梱されている、ＵＳＢメモリ４５を情報端末装置２のＵＳＢジャックに装着する。ＵＳＢＩ／Ｆ２６でインターフェースされ、バス２３を介してＣＰＵ２０により取り出されたインストールプログラムがＬＣＤコントローラ３０を通してＬＣＤ２１に表示される。ユーザが入力操作装置２２、例えばマウスを用いてインストールプログラムを起動させる。インストールプログラムから案内される、ＹＥＳ又はＮＯをユーザが選択するのに応答して、プログラムが進み、ＵＳＢメモリ４５に既に格納してある、図４の接続アプリケーション４６、ドライバ４７及び設定情報４８をＨＤＤ２４にインストールする。
【００６５】
設定情報４８のうち、ワイヤレスネットワーク接続に必要な情報、つまり、ワイヤレス接続用モジュール４４の設定に関する情報は、画像表示装置１の固有の情報、例えばシリアル番号などから作成されている。例えば、上記図５に示したネットワーク名である「ＰＪ−００５」は、画像表示装置１の固有のシリアル番号「００００５」から作成されたものである。また、データの暗号化方法（ＷＥＰ）である「３８２６５４・・・」も上記固有のシリアル番号から生成された１２８ビットの暗号化鍵である。これらの設定情報の他、図５に示したネットワークモード、ネットワークチャンネル、さらには情報端末装置２のＩＰアドレス（オートＩＰ）やサブネットマスクも自動的に設定されることになる。
【００６６】
次に、ユーザがワイヤレス接続用モジュール４４を所定のスロットに差し込むと、Ｉ／Ｆ２８を介したＣＰＵ２０の制御により画像表示装置１との間で交信が開始される。
【００６７】
画像表示装置１のＲＯＭ６３には、既に出荷時に接続アプリケーション４１、ドライバ４２及び設定情報４３が格納されているので、自身のワイヤレス接続用モジュール４０を通して情報端末装置２との間の交信が可能となる。
【００６８】
情報端末装置２は、例えばＬＣＤ２１に表示した画像に対応する画像情報をＷＥＰキー「３８２６５４・・・」を用いて暗号化し、ワイヤレス接続用モジュール４４から、画像表示装置１に送信する。画像表示装置１は、情報端末装置２から無線通信路を介して無線伝送された上記暗号化画像情報をワイヤレス接続用モジュール４０により受信し、ＲＯＭ６３に格納されている固有のシリアル番号から生成されたＷＥＰキーを用いて復号し、映像信号出力部６５にて画像情報にしてからスクリーン５上の表示画面５０に拡大した画像５５として投射する。
【００６９】
このように、画像表示装置１のユーザは、購入時に同梱されているＵＳＢメモリ４５を情報端末装置２のＵＳＢジャックに挿入し、所定のインストール操作を行い、かつワイヤレス接続用モジュール４４を所定のスロットに挿入するだけで、画像表示装置１と情報端末装置２とを無線ネットワーク接続することができる。無線ネットワークへの接続のための設定が、本発明の設定方法を用いることにより簡便に行える。
【００７０】
また、図５に示した設定情報の内の、特に、ワイヤレスネットワーク接続に必要な情報のネットワーク名や、ＷＥＰキーは画像表示装置１の固有のシリアル番号から予め生成されている。そして、上記設定方法を用いると自動的に情報端末装置２に設定されるので、従来のようにスクリーンに表示する必要はない。このため、設定情報が第三者の目に触れないので、ネットワークへの第三者による不正な侵入、攻撃を防ぐことができ、もちろん暗号データの不正な復号も防ぐことができるので、セキュリティを確保できる。
【００７１】
なお、図１に示した画像表示システム１０は、画像表示装置１のプロジェクタ６０に対して１台の情報端末装置２を無線ネットワーク接続する構成であったが、本発明は画像表示装置１に対して複数台の情報端末装置を無線ネットワーク接続するシステムにも適用できる。
【００７２】
図８は、複数の情報端末装置２Ａ，２Ｂ，２Ｃと画像表示装置１とを無線ネットワーク接続する画像表示システム１０の構成図である。情報端末装置２Ａ，２Ｂ，２Ｃは、いずれも、図３及び図７を参照して説明した情報端末装置２と同様の構成を有するものであり、それぞれ本発明のネットワークへの設定方法に基づいて無線ネットワークに接続される。ただし、各情報端末装置２Ａ，２Ｂ，２Ｃ用のＵＳＢメモリ４５と、ワイヤレス接続用モジュール４４は、プロジェクタ６０に同梱されているものとする。もちろん、後日、ユーザが各モジュールと、ワイヤレス接続用モジュールを購入するようにしてもよい。複数のＵＳＢメモリ４５に予め格納されている設定情報４８のうち、図５に示したワイヤレス接続用モジュール４４の設定に関する情報は、いずれも画像表示装置１の固有の情報から生成されている。よって、複数の情報端末装置用に対してワイヤレス接続用モジュール４４の設定に関する情報は同じになる。設定情報４８のうち、残りの情報端末装置に関するＩＰアドレス、サブネットマスクは情報端末装置毎に固有のデータとなる。プロジェクタ６０は、固定のＩＰアドレスを持つが、複数の情報端末装置はオートＩＰ機能が働くことにより、自動的にＩＰアドレスが設定されるようになっている。ＩＰアドレスが変われば、サブネットマスクも自動的に異なる。
【００７３】
このように、画像表示装置１のプロジェクタ６０のユーザは、購入時に同梱されている複数のＵＳＢメモリ４５を複数の情報端末装置２Ａ，２Ｂ，２Ｃの各ＵＳＢジャックに挿入し、所定のインストール操作を行い、かつ複数のワイヤレス接続用モジュール４４を各スロットに挿入するだけで、画像表示装置１のプロジェクタ６０と複数の情報端末装置２Ａ，２Ｂ，２Ｃとを無線ネットワーク接続することができる。したがって、無線ネットワークへの接続のための設定が、本発明の設定方法を用いることにより簡便に行える。
【００７４】
また、図５に示した設定情報の内の、特に、ワイヤレスネットワーク接続に必要な情報のネットワーク名や、ＷＥＰキーは画像表示装置１のプロジェクタ６０の固有のシリアル番号から予め生成されている。そして、上記設定方法を用いると自動的に複数の情報端末装置２Ａ，２Ｂ，２Ｃに設定されるので、従来のようにスクリーンに表示する必要はない。このため、設定情報が第三者の目に触れないので、ネットワークへの第三者による不正な侵入、攻撃を防ぐことができ、もちろん暗号データの不正な復号も防ぐことができるので、セキュリティを確保できる。
【００７５】
図９は本発明が適用される画像表示システムの他の具体例を示す図である。この他の画像表示システム１０は、画像表示装置１と情報端末装置２Ａ，２Ｂ，２Ｃとを、IEEE802.11bに準拠したアクセスポイント３を介してネットワーク接続するシステムである。情報端末装置２Ａ，２Ｂ，２Ｃは、いずれも、図２及び図７を参照して説明した情報端末装置２と同様の構成を有するものであり、ＬＡＮ４にて接続されている。
【００７６】
複数のＵＳＢメモリ４５に予め格納されている設定情報４８のうち、アクセスポイント３の設定に関する情報は、いずれも画像表示装置１の固有の情報から生成されている。よって、複数の情報端末装置に対してアクセスポイントの設定に関する情報は同じになる。
【００７７】
図１０は、アクセスポイント接続をする場合の設定情報４３及び４８の具体例を示す図である。この場合の設定情報の内容は、上記図５に示したものと、ネットワークモードが異なり、アクセスポイント接続となっている。残りの設定情報項目７に関する各設定情報内容８は上記図５と同様である。ネットワークモード、ネットワーク名、ネットワークチャンネル、データの暗号化方法は、アクセスポイントを経由したネットワーク設定に関する情報である。
【００７８】
以上をまとめると、図９に示すような画像表示システム１０の他の具体例にあっても、設定情報４３及び４８のネットワーク名とデータの暗号化キーは、画像表示装置１のプロジェクタ６０固有の情報から決定され、これらの情報は他の設定情報と共に、工場出荷時に、画像表示装置１のプロジェクタ６０内のＲＯＭ４３及びＵＳＢメモリ４５に書き込まれているということになる。
【００７９】
この画像表示システム１０の他の具体例にあって特徴的なのは、情報端末装置２用のＵＳＢメモリ４５は、画像表示装置１のプロジェクタ６０購入時に同梱されていることである。もちろん、後日、ユーザがＵＳＢメモリ４５を購入するようにしてもよい。ＵＳＢメモリ４５に予め格納されている設定情報４８のうち、図１０に示したアクセスポイント接続の設定に関する情報は、画像表示装置１のプロジェクタ６０固有の情報から生成されている。
【００８０】
このように、この他の具体例でも、画像表示装置１のプロジェクタ６０のユーザは、購入時に同梱されているＵＳＢメモリ４５を複数の情報端末装置２Ａ、２Ｂ及び２Ｃの装着部２６に挿入し、所定のインストール操作を行うだけで、画像表示装置１と情報端末装置２Ａ、２Ｂ及び２Ｃとをネットワーク接続することができる。
【００８１】
また、図１０に示した設定情報の内の、特に、ネットワーク名や、ＷＥＰキーは画像表示装置１のプロジェクタ６０固有のシリアル番号から予め生成されている。そして、上記設定方法を用いると自動的に情報端末装置に設定されるので、従来のようにスクリーン５に表示する必要はない。このため、設定情報が第三者の目に触れないので、ネットワークへの第三者による不正な侵入、攻撃を防ぐことができ、もちろん暗号データの不正な復号も防ぐことができるので、セキュリティを確保できる。
【００８２】
図１１は本発明が適用される画像表示システムのさらに他の具体例を示す図である。このさらに他の画像表示システムは、画像表示装置１と情報端末装置２Ａ，２Ｂ，２Ｃとを、有線ＬＡＮ４によってネットワーク接続するシステムである。情報端末装置２Ａ，２Ｂ，２Ｃは、いずれも、図２及び図７を参照して説明した情報端末装置２と同様の構成を有するものである。
【００８３】
図１２は、上記画像表示システムのさらに他の具体例にて有線ＬＡＮ接続をする場合の設定情報４３及び４８の具体例を示す図である。この場合の設定情報は、ネットワークモード、ネットワーク名、ネットワークチャンネル、データの暗号化を未設定としている。ＩＰアドレスと、サブネットマスクは各設定情報内容８のように設定される。
【００８４】
設定情報項目７のＩＰアドレス（Internet Protocol Address）は、インターネットに接続されたコンピュータの住所に当たる数列を意味するものであり、画像表示装置１のプロジェクタ６０及び情報端末装置２Ａ、２Ｂ、２Ｃのネットワーク上でのアドレスを示すものである。例えば、情報端末装置２Ａ、２Ｂ、２Ｃ側の設定情報４８では、オートＩＰとされる（Auto IP(DHCP)）。画像表示装置１は、ネットワークにおけるDHCPサーバではないが、元々オートＩＰという設定項目自体がないので、DHCPに設定しておくことで、DHCPサーバを探させ、無いことが判明すればオートＩＰが働くという流れになっている。サブネットマスク（Subnet Mask）は、ＩＰネットワークにおいて、サブネットの分割を行うためのビット列である。ＩＰアドレスとサブネットマスクの論理積によりネットワークアドレスが得られる。
【００８５】
さらに、本発明は、図１３に示すような、１台の情報端末装置２から複数の画像表示装置１Ａ、１Ｂを切り替えて無線ネットワークする画像表示システムにも適用できる。具体的には、既に所有している画像表示装置１Ａの他に、後日、新規に別の画像表示装置１Ｂを購入した場合である。無線ネットワーク接続を変更するときには、接続アプリケーション４６から接続した画像表示装置１Ｂの固有情報（シリアル番号）を入力することによって、接続する画像表示装置を変更することができる。
【００８６】
新規に購入した画像表示装置１Ｂに同梱されていたＵＳＢメモリ４５を情報端末装置２に接続して、インストールし、同じく同梱されていたＷＬモジュール４４を接続すれば、情報端末装置２は画像表示装置１Ｂに無線ネットワーク接続することになる。しかし、既に所有している画像表示装置１Ａには接続できなくなる。
【００８７】
そこで、情報端末装置２は、接続アプリケーション上で新規の画像表示装置１Ｂの固有のシリアル番号を入力する。すると、既に設定済みの設定情報の該当部分に新規の画像表示装置１Ｂ用の設定情報が追加される。図５に示した設定情報の内の、特に、ワイヤレスネットワーク接続に必要な情報の、例えばネットワーク名、ネットワークチャンネル、データの暗号化（ＷＥＰ）タイプなどが上記入力された新規の画像表示装置１Ｂの固有のシリアル番号に応じて新たに追加設定される。このようにすれば、情報端末装置２は、複数の画像表示装置１Ａ、１Ｂが存在しても、ネットワーク名を画像表示装置固有の名前にしているので、接続に混乱を生じることはない。また、ＷＥＰキーも画像表示装置毎に異なるものを用いることになるので、簡単に傍受されることはない。
【００８８】
そして、図１４に示すような画像表示装置の選択リスト８０が情報端末装置２のＬＣＤ２１上に表示される。始めは、既に所有している画像表示装置１Ａしか表示されていない。ユーザが新規の画像表示装置１Ｂを追加設定するために、接続アプリケーション上で追加ボタンを押すと、「シリアル番号を入力してください。」という案内が表示される。そこで、ユーザが新規の画像表示装置１Ｂのシリアル番号を入力すると、接続アプリケーションは上記ネットワーク名、ネットワークチャンネル、データの暗号化（ＷＥＰ）タイプなどを作成し、上記設定情報４８に追加する。この一連の処理が終わると、選択リスト８０には、画像表示装置１Ｂも追加表示される。ユーザはいずれかの選択チェック部８１Ｂをマウスのクリック操作により選択すると、情報端末装置２は選択された画像表示装置１Ｂに無線ネットワーク接続される。もちろん、接続アプリケーションがユーザから入力された新規の画像表示装置１Ｂの固有情報にもとづいて作成した上記ネットワーク名、ネットワークチャンネル、データの暗号化（ＷＥＰ）タイプなどは、画像表示装置１Ｂ内のＲＯＭ６３に書き込まれている設定情報４３と一致する。
【００８９】
このように、新規の画像表示装置１Ｂを追加する場合でも、ユーザは画像表示装置１Ｂの固有情報を接続アプリケーションの指示に基づいて入力するだけで、無線ネットワーク接続する画像表示装置を変更することができる。この場合にも、設定情報が第三者の目に触れないので、ネットワークへの第三者による不正な侵入、攻撃を防ぐことができ、もちろん暗号データの不正な復号も防ぐことができるので、セキュリティを確保できる。
【００９０】
また、上記実施の形態では、情報端末装置２等用のＷＬモジュール４４とＵＳＢメモリ４５とを別々にしたが、これらを一体化することで、情報端末装置２への接続操作を簡易化することができる。また、ＷＬモジュールの中に設定情報を書き込んでおくことになるので、ユーザはＷＬモジュールを変えるだけで、無線ネットワーク接続の相手の画像表示装置の設定を変更することができる。
【００９１】
また、上記情報端末装置が既に有線ＬＡＮやアクセスポイントを介した無線ＬＡＮ等の他のネットワークに接続されていた場合でも、本発明の設定方法を適用することができる。この場合、情報端末装置２はＩＰアドレスを２つ持つことになるので、上記ＷＬモジュール４４を差し込んだ時点ですぐに画像表示装置１と無線ネットワーク接続される。
【００９２】
また、本発明は、情報端末装置としてパーソナルコンピュータの他、携帯情報端末（PDA)や、他の情報端末装置を無線ネットワークに接続するときの設定にも使用することもできる。また、情報端末装置同士を無線ネットワークに接続する場合や、情報端末装置と無線ネットワークを構築する他の製品に対しても適用できる。
【図面の簡単な説明】
【００９３】
【図１】画像表示システムの基本構成図である。
【図２】画像表示装置の構成を概略的に示すブロック図である。
【図３】情報端末装置の構成を概略的に示すブロック図である。
【図４】画像表示装置のプロジェクタと情報端末装置（ＰＣ）とで、用いられるソフトウェアのシステム構成図である。
【図５】設定情報の具体例を示す図である。
【図６】画像表示装置のハードウェア構成を示すブロック図である。
【図７】情報端末装置のハードウェア構成を示すブロック図である。
【図８】複数の情報端末装置と１台の画像表示装置からなる画像表示システムの基本構成図である。
【図９】本発明が適用される画像表示システムの他の具体例を示す図である。
【図１０】図９に示した他の具体例で用いられる設定情報の具体例を示す図である。
【図１１】本発明が適用される画像表示システムのさらに他の具体例を示す図である。
【図１２】図１１に示した他の具体例で用いられる設定情報の具体例を示す図である。
【図１３】複数の画像表示装置と１台の情報端末装置からなる画像表示システムの基本構成図である。
【図１４】情報端末装置の表示部に表示される画像表示装置の選択リストを示す図である。
【符号の説明】
【００９４】
１  画像表示装置、２  情報端末装置、５  スクリーン、４０，４４  ワイヤレスモジュール、４１，４６  接続モジュール、４２，４７  ドライバ、４３，４８設定情報
【図１】
2005285091.tif 000003
【図２】
2005285091.tif 000004
【図３】
2005285091.tif 000005
【図４】
2005285091.tif 000006
【図５】
2005285091.tif 000007
【図６】
2005285091.tif 000008
【図７】
2005285091.tif 000009
【図８】
2005285091.tif 000010
【図９】
2005285091.tif 000011
【図１０】
2005285091.tif 000012
【図１１】
2005285091.tif 000013
【図１２】
2005285091.tif 000014
【図１３】
2005285091.tif 000015
【図１４】
2005285091.tif 000016